(57)【要約】【課題】  本発明は上記課題を鑑みて発明されたものであり、例えば、家庭や事業所等の生活圏から排出された生活ゴミを、周辺環境を悪化することなく迅速且つ効率的に回収できるゴミの収集方法と、この方法を実施するためのゴミ収集システムを提供することにある。【解決手段】  地上の各所に、近隣の生活圏から排出されたゴミを回収するゴミ投入口を配置し、また地下にはゴミ処分場を建設し、さらに前記ゴミは、水密性と耐久性とを兼ね備える素材で形成した搬送用袋の中に入れ、前記各ゴミ投入口からゴミ処分場までの区間は管路で結んであり、さらにゴミ投入口に前記搬送用袋を投入し、この搬送用袋を、管路の勾配と該勾配により加勢された水の流れを利用して、該管路内を経てゴミ処分場まで運ぶことを特徴とする。【選択図】      図２
2005047674.tif 000002
【特許請求の範囲】
【請求項１】
地上の各所に、近隣の生活圏から排出されたゴミを回収するゴミ投入口を配置し、また地下にはゴミ処分場を建設し、さらに前記ゴミは、水密性と耐久性とを兼ね備える素材で形成した搬送用袋の中に入れ、
前記各ゴミ投入口からゴミ処分場までの区間は管路で結んであり、さらにゴミ投入口に前記搬送用袋を投入し、この搬送用袋を、管路の勾配と該勾配により加勢された水の流れを利用して、該管路内を経てゴミ処分場まで運ぶことを特徴とするゴミ収集方法。
【請求項２】
請求項１記載の方法において、前記搬送用袋とともにゴミ処分場まで流れ着いた水は、移送手段によって再び各ゴミ投入口まで送り込まれることを特徴とするゴミ収集方法。
【請求項３】
生活圏から排出されたゴミ（１１）を収容すると共に水密性と耐久性とを兼ね備える素材で形成した搬送用袋（６ａ，６ｂ）と、地上の各所に配置され且つ前記搬送用袋（６ａ，６ｂ）を回収するためのゴミ投入口（１）と、地下に建設したゴミ処分場（２）と、前記各ゴミ投入口（１）とゴミ処分場（２）とを連通する管路（３，４，５）と、から構成し、
前記ゴミ投入口（１）は、管路（３，４，５）内に所定量の水（Ｗａ，Ｗｂ）を給水するための開閉弁（１７）を具備した貯水槽（１３）を備え、
さらに、ゴミ投入口（１）から回収された前記搬送用袋（６ａ，６ｂ）は、該貯水槽（１３）からの流水（Ｗａ，Ｗｂ）の勢いにより、ゴミ処分場（２）までの管路（３，４，５）内の区間を移動可能に形成していることを特徴とするゴミ収集システム。
【請求項４】
前記管路（３，４，５）は、少なくとも該管路（３，４，５）内面の底部側において、滑性を有する素材で形成した層（７ａ）を備えていることを特徴とする請求項３記載のゴミ収集システム。
【請求項５】
前記搬送用袋（６ａ，６ｂ）は、少なくとも該袋（６ａ，６ｂ）の底部側において、滑性を有する素材で形成した層（７ｂ）を備えていることを特徴とする請求項３又は４記載のゴミ収集システム。
【請求項６】
前記ゴミ処分場（２）及び管路（３，４，５）には、貯水槽（１３）から流れ出た水（Ｗａ、Ｗｂ）を、再び貯水槽（１３）内に戻す移送手段（１２）を備えていることを特徴とする請求項３、４又は５記載のゴミ収集システム。
【発明の詳細な説明】
【技術分野】
【０００１】
本発明は例えば、家庭或いは事業所などの生活圏から排出される生活ゴミの収集方法と、この方法に使用するゴミ収集システムに関する。
【背景技術】
【０００２】
家庭や事業所などの生活圏から排出される、例えば生ゴミに代表される可燃ゴミや、或いは、空き缶や瓶などに代表される不燃ゴミは一般に、各々が住む地域が指定したゴミ集積所に持ち込まれ、さらに該ゴミ集積所で集められたゴミは、地方公共団体や民間が所有するゴミ回収車に収容された後、ゴミ処分場に持ち込まれて焼却・粉砕処分がなされるものであった。
【特許文献１】特開平１１−３０１８０１号（第２頁）
【発明の開示】
【発明が解決しようとする課題】
【０００３】
ゴミの収集方法は従来、前述のようにゴミ回収車が各地域のゴミ集積所を巡回し、そこに置かれたゴミを回収しながらゴミ処分場まで運ぶものであったため、ゴミ回収車の排ガスが周辺環境を悪化するばかりか、ゴミ回収車で各集積所を巡回する方式では、地域によって回収時間に差が生まれることから、ゴミが発する臭気やカラスによる被害が発生し、結果として、周辺環境の悪化に輪を掛ける問題があった。
【０００４】
本発明は上記課題を鑑みて発明されたものであり、例えば、家庭や事業所等の生活圏から排出された生活ゴミを、周辺環境を悪化することなく迅速且つ効率的に回収にできるゴミの収集方法と、この方法を実施するためのゴミ収集システムを提供することにある。
【課題を解決するための手段】
【０００５】
本発明のうち請求項１記載の発明では、地上の各所に、近隣の生活圏から排出されたゴミを回収するゴミ投入口を配置し、また地下にはゴミ処分場を建設し、さらに前記ゴミは、水密性と耐久性とを兼ね備える素材で形成した搬送用袋の中に入れ、前記各ゴミ投入口からゴミ処分場までの区間は管路で結んであり、さらにゴミ投入口に前記搬送用袋を投入し、この搬送用袋を、管路の勾配と該勾配により加勢された水の流れを利用して、該管路内を経てゴミ処分場まで運ぶことを特徴とする。また、前述した請求項１記載の発明を実施するシステムは請求項３記載の発明のように、生活圏から排出されたゴミを収容すると共に水密性と耐久性とを兼ね備える素材で形成した搬送用袋と、地上の各所に配置され且つ前記搬送用袋を回収するためのゴミ投入口と、地下に建設したゴミ処分場と、前記各ゴミ投入口とゴミ処分場とを連通する管路と、から構成し、前記ゴミ投入口は、管路内に所定量の水を給水するための開閉弁を具備した貯水槽を備え、さらに、ゴミ投入口から回収された前記搬送用袋は、該貯水槽からの流水の勢いにより、ゴミ処分場までの管路内の区間を移動可能に形成していることを特徴とする。
【０００６】
生活圏とは、地域住人の生活の場（例えば、住居や事業所、商業地等）の全てを含んだ概念である。また搬送用袋を形成する素材の耐久性とは具体的に、耐摩耗性、引張強度、耐衝撃性等に優れたものを意味する。さらにゴミ投入口は、管路と通じる回収口を地上側に有し、しかも、この回収口の大きさが前記搬送用袋を入れるに足るものであればよい。さらに、ゴミ投入口からの搬送用袋の回収方法については具体的に、住人がゴミ投入口に持ち込んで直接投げ入れるものである。また管路の構成部材としては具体的に、コンクリート管や鋼管が挙げられる。さらに各管には、例えば、筒状をなすブレストレストコンクリート管や断面形状が方形をなすボックスカルバート管、樹脂管、或いは筒状鋼管等が用いられる。また地中への管路の埋設方法は特に限定しないが、施工の効率性を考慮して推進工法により管を設置していくことが望ましく、この場合には、推進工法に適したブレストレストコンクリート管を使用することが望ましい。また管路は、各ゴミ投入口からゴミ処分場までの区間を直接結んでもよいが、通常、一カ所のゴミ処分場に対して多数のゴミ投入口を結ばなければならないので、望ましくは、ゴミ処分場と直接通じる主管路、各ゴミ投入口に直接通じる枝管路、そして、前記主管路と所定の本数の枝管路とを結ぶ中管路により、各ゴミ投入口が共有する管路を区間内に設けた管網を形成するほうがよい。
【０００７】
このように形成すると、ゴミ投入口から回収された搬送用袋は、貯水槽から送られた水とともに管路内に入ることで、地上から地下に延びる管路の勾配によって前記水の流れが加勢され、この勢いを利用してゴミ処分場まで滑走していくこととなる。
【０００８】
本発明のうち請求項２記載の発明は、前記搬送用袋とともにゴミ処分場まで流れ着いた水は、移送手段によって再び各ゴミ投入口まで送られることを特徴とする。また、前記請求項２記載の方法を実施するシステムは請求項６記載の発明のように、前記管路には、貯水槽から流れ出た水を、再び貯水槽内に戻す移送手段を備えているので、水資源の有効利用を図れる。
【０００９】
移送手段は、ゴミ処分場、或いは管路の終点に流れ着いた水を各ゴミ投入口まで送り返せるものであればよく、具体的には、搬送用袋の移動する管路とは別に専用の管路を設け、その管路にゴミ処理場、又は／及び各管路の一端側に設けたポンプによって、前記水を強制的に送り返すもの等が挙げられる。また、搬送用袋とともに流れ着いた水は、管路内を移動するうちに様々な汚物や雑菌の混入が考えられるので、移送手段によってゴミ投入口側へ送り返す前に、消毒の手順を踏むことが望ましい。
【００１０】
さらに請求項４記載の発明のように、前記管路には、少なくとも管内の底部側において滑性を有する素材で形成した層を備えれば、搬送用袋が管路内において、抵抗の少ない塗膜層の上面を滑走していき、たとえゴミ処分場から離れた場所にあるゴミ投入口において回収した搬送用袋であっても、移動中に管路の途中で止まる懸念がなく、また万一、止まった場合であっても、前記袋と管路内との抵抗が小さいために、後から滑走してくる別の搬送用袋に押し出されて加勢されれば、再び移動を開始し、ゴミ処分場に到達する。また請求項５のように、少なくとも搬送用袋の底部側においても、滑性を有する素材からなる塗膜層を備えれば、管路内の塗膜層の滑性状態と相俟って移動がスムーズとなることは勿論、搬送用袋と管路内との摩擦が軽減されるので、双方の耐用期間の延長が図れる。
【００１１】
ここで層とは、活性を有する素材によって塗膜したり、或いは、前記素材で形成されたシートを被覆するもの等の全ての工程を経て形成したものを含む概念である。また、管路内に備える層の素材としては、特に限定するものではないが、引張強さや耐摩耗性に優れた無溶剤ポリウレタン樹脂の１つであるミゼロン（商品名：製造元及び販売元、三井金属塗料化学株式会社）を選択することが望ましい。また搬送用袋を形成する素材は、水密性に優れ且つ耐久性を兼ね備える強靱なものが選択され、具体的にはビニルや合成ゴム等を素材としたものが挙げられる。また管路、搬送用袋の双方に備える層の範囲は、互いの接触面となる底部側面のみでもよいし、或いは、それぞれの全周面に備えてもよい。
【発明の効果】
【００１２】
本発明のうち請求項１、３、４及び５記載の発明によれば、生活圏から排出されたゴミが、ゴミ集積所等に一時的に留まることなく、ゴミ投入口から入れられた後に、管路内を速やかに通ってゴミ処分場に運ばれるので、周辺環境を汚すことなくゴミを回収できるばかりか、回収車の巡回にかかる人件費や運用コストの大幅な削減を実現できる。
【００１３】
本発明のうち請求項２及び６記載の発明によれば、管路内において搬送用袋とともに、該管路の終点、ゴミ処分場に流れ着いた流水が再び、ゴミ投入口の側へ戻されるので、限りある水資源を有効利用でき、近年の循環型社会に対応したゴミ収集システムを構築できる。
【発明を実施するための最良の形態】
【００１４】
ここで、本発明のゴミ収集システムの具体的な実施形態を各図面に基づいて説明する。
【００１５】
本ゴミ収集方法を実行するためのシステムは図１のように、まず全体の構成として、地下に建設されたゴミ処分場２を中心に、各管路３，４，５による管網が張り巡らせてあり、さらに地上には、家庭や事業所等の生活圏から排出された生活ゴミ（以下、ゴミと記す）１１を回収するゴミ投入口１が各地域に点在している。そして前述のように、地下に前記ゴミ処分場２を設けていることで、ゴミ投入口１とゴミ処分場２との高低差を利用して、各管路３，４，５内に入れた水Ｗａが加勢され、このまま前記ゴミ１１を入れた搬送用袋６ａ，６ｂをゴミ処分場２に向けて滑走させるものである。
【００１６】
ここでまず、ゴミ投入口１の構成を説明する。
このゴミ投入口１は図４のように、枝管路３と連通する搬送用袋６ａ，６ｂの投入口１９と、前記枝管路３内に流し込む水を貯める貯水槽１３と、該貯水槽１３内からの送水量を開閉弁１７の開け閉めにより調節する操作盤１６と、からなっている。そして前記操作盤１６は、投入口１９の近くに設置してある操作盤１６の水流ボタン１８を、ゴミ１１を入れた搬送用袋６ａ，６ｂを持ち込んだ住人が押すことで、開閉弁１７と連結するワイヤーが巻き取られ、該開閉弁１７が持ち上がるので、枝管路３内へ貯水槽１３内の水が流し込まれる。また、住人が前記水流ボタン１８を離せば、ワイヤーが緩んで前記開閉弁１７がゆっくりと閉じ、最終的に枝管路３内への流水が止まる。
【００１７】
次に図２は、本実施形態のゴミ収集システムのうちの一経路を示すものである。
この経路図では、ゴミ投入口１と通じる枝管路３と、この枝管路３を含む複数の枝管路３が通じる中管路４と、同じく該中管路４を含む複数本の中管路４に通じていると共にゴミ処分場２まで延長している主管路５と、からなっている。さらに各管路３，４，５内に通す搬送用袋６ａ，６ｂの数量の違いから、主管路５、中管路４、枝管路３の順に管径が大きく設定してある。また各管路３，４，５は、各ゴミ投入口１とゴミ処分場２との高低差を利用し、前記搬送用袋６ａ，６ｂを水Ｗａと共に移動するための勾配を設けている。そして各管路３，４，５は、それぞれが1／100の勾配に設定してあり、ゴミ処分場２をできるだけ地下深く建設しないように設計されている。
【００１８】
また各管路３，４，５には図３のように、当該各管路３，４，５の内周面の底部側面に、無溶剤型特殊ポリウレタン樹脂塗料であるミゼロン（商品名、製造元及び販売元：三井金属塗料化学株式会社）による塗膜層７ａを固着しており、この塗膜層７ａは、投入された搬送用袋６ａ，６ｂの通過する予測数量によって、各管路３，４，５毎に約1〜2ｍｍ厚で各管路３，４，５の全域に亘って設けてある。そして、このミゼロンの塗膜層７ａによって、前述のような1/100程度の緩やかな勾配に各管路３，４，５の傾斜を設定した場合でも、搬送用袋６ａ，６ｂの表面側と塗膜層７ａとの接触面同士の抵抗が非常に小さくなることから、管路３，４，５内に一定量の水を流すのみで、搬送用袋６ａ，６ｂがスムーズに滑走する。また前記ミゼロンの性能については、塗膜層７ａとしての重要な要素である引張強さや耐摩耗性に優れており、その他詳細な性能については以下の表に示す。
尚、各管路３，４，５における搬送用袋６ａ，６ｂの予測数量は、主管路５、中管路４、枝管路３の順に多くなると設定してあり、このように予測数量を設定した場合には、主管路５における塗膜層７ａが最も肉厚となる。
【００１９】
【表１】
2005047674.tif 000003
【００２０】
さらに前述の搬送用袋６ａ，６ｂ側においても、その底部側面にミゼロンによる塗膜層７ｂを固着している。この場合、搬送用袋６ａ，６ｂが各管路３，４，５内を滑走する際に想定される摩擦抵抗や変形に対し、充分な引張強度や伸縮性を発揮することにより、各管路３，４，５表面の劣化が防がれて本システムの長期的な運用が可能となる。また前記搬送用袋６ａ，６ｂは、ゴミの種類（不燃物、可燃物等）によって、色分けがなされており、各管路３，４，５内を通過した搬送用袋６ａ，６ｂがゴミ処分場２に到達した際には、可燃物・不燃物の分別が容易に行なえる。
【００２１】
また、搬送用袋６ａ，６ｂとともに各管路３，４，５内を流れた水Ｗａは、ゴミ処分場２から再び地上の各ゴミ投入口１側に送り込まれるものであるが、主管路５、中管路４、枝管路３内の上部側において、当該各管路３，４，５の延長方向に沿って約２０ｃｍ程度の径の送水管９が通してあり、この送水管９では、後述するが、搬送用袋６ａ，６ｂとともに流れ着いたゴミ処分場２において消毒済みの水Ｗｂを、各管路３，４，５の勾配に逆らってゴミ投入口１側へ強制的に送り込まなければならないので、ポンプ１２を用いている。また前記ポンプ１２は、仮に送水時の出力が高いものであれば、ゴミ処分場２側の一カ所に設置してあれば足りるが、現実的には、一層円滑にゴミ投入口１側に水Ｗｂを送り込めるように、中管路４、枝管路３における各管路３，４の入口付近に設置してあることが望ましい。
【００２２】
さらに、各管路３，４，５を経てゴミ処分場２まで辿り着いた搬送用袋６ａ，６ｂは図５のように、ゴミ処分場２の施設内を蛇行する搬送水路１４に沿って順次流れていく。まず、施設内では第１の段階として、搬送用袋６ａ，６ｂの色の違いを識別して、可燃ゴミの入れられた袋６ａ，６ｂのみをプラットホーム２１に引き上げ、この引き上げた搬送用袋６ａ，６ｂはベルトコンベア２０に載せられた後、ゴミピットまで送られ焼却炉で処分される。そして第２段階では、前記搬送水路１４の前半で回収された可燃ゴミを入れた搬送用袋６ａ，６ｂ以外の搬送用袋６ａ，６ｂが、不燃ゴミを入れたものと見なされ、該搬送水路１４の経路の後半において回収された後に、ベルトコンベア２０に載せられて不燃物処理場に移動される。さらに、各搬送用袋６ａ，６ｂとともに流れてきた水Ｗａは、一次水槽、二次水槽を経て水Ｗａ中に漂う不純物を沈殿し、さらに消毒後の水Ｗｂはポンプ１２によって減温塔１５に送り出された後、各管路３，４，５内の送水管９を通って各ゴミ投入口１の貯水槽１３に戻される。
【図面の簡単な説明】
【００２３】
【図１】本発明のゴミ収集システムの全体を示す説明図である。
【図２】本発明のゴミ収集システムの一経路を示す説明図である。
【図３】図２のＡ−Ａ線縦断面図である。
【図４】ゴミ投入口の構造を示す縦断面図である。
【図５】ゴミ処分場の構成を示す説明図である。
【符号の説明】
【００２４】
１  ゴミ投入口
２  ゴミ処分場
３，４，５  枝管路、中管路、主管路（管路）
６ａ，６ｂ  搬送用袋
７ａ，７ｂ  塗膜層（層）
１２  ポンプ（移送手段）
１３  貯水槽
１７  開閉弁
Ｗａ，Ｗｂ  水
【図１】
2005047674.tif 000004
【図２】
2005047674.tif 000005
【図３】
2005047674.tif 000006
【図４】
2005047674.tif 000007
【図５】
2005047674.tif 000008